(57)【要約】  【課題】  映像・音声信号送出機器から出力される映像・音声信号を外部に送出するときに、調整された映像・音声信号をすぐに外部に送出することが可能にする。  【解決手段】  映像・音声信号を収録・再生するためのビデオサーバなどの映像・音声信号送出機器１０１と、映像・音声信号送出機器から出力される映像・音声信号を調整するための映像・音声信号調整機器１０２と、映像・音声信号送出機器および映像・音声信号調整機器を制御するための制御機器１０３から構成され、制御機器は、映像・音声信号送出機器から出力される映像・音声信号を外部に送出する事前に、映像・音声信号送出機器から出力される映像・音声信号を所定のレベルに調整して調整値を記憶し、送出制御信号を受信した時、記憶していた調整値を映像・音声信号調整機器に設定して、映像・音声信号送出機器から出力される映像・音声信号を映像・音声信号調整機器で所定のレベルに調整することを特徴とする。【選択図】  図１
2005079745.tif 000002
【特許請求の範囲】
【請求項１】
映像・音声信号を収録・再生するためのビデオサーバなどの映像・音声信号送出機器と、前記映像・音声信号送出機器から出力される映像・音声信号を調整するための映像・音声信号調整機器と、前記映像・音声信号送出機器および前記映像・音声信号調整機器を制御するための制御機器とを有し、前記制御機器は、前記映像・音声信号送出機器から出力される映像・音声信号を外部からの送出制御信号に応じて送出する事前に、前記映像・音声信号送出機器から出力される映像・音声信号を所定のレベルに調整する調整値を記憶し、前記送出制御信号を受信したとき、記憶していた前記調整値を前記映像・音声信号調整機器に設定して、前記映像・音声信号送出機器から出力される映像・音声信号を前記映像・音声信号調整機器で所定のレベルに調整することを特徴とする放送素材送出システム。
【発明の詳細な説明】
【技術分野】
【０００１】
本発明は、番組やＣＭ（コマーシャル）などの放送素材の映像・音声信号を収録し且つ送出する放送素材送出方法に関するものである。
【背景技術】
【０００２】
放送局などで、映像・音声信号を収録・再生するためのビデオサーバなどの映像・音声信号送出機器を用いて番組の編集・送出を行う番組送出システムは公知で、例えば、特許文献１に開示されている。編集・送出する素材としては、番組以外に、ＣＭ（コマーシャル）などでもよい。
【０００３】
映像・音声信号送出機器から出力される映像・音声信号を外部に送出するとき、送出する映像・音声信号のレベルを所定のレベルに調整する必要がある。
【０００４】
そのため、従来は、ＶＴＲなどの映像・音声再生機器の出力映像・音声信号を、映像・音声信号調整機器に入力して、映像・音声信号のレベルを調整してから、ビデオサーバなどの映像・音声信号送出機器に入力している。
【０００５】
【特許文献１】特開２０００−２８５６４９号公報
【発明の開示】
【発明が解決しようとする課題】
【０００６】
しかしながら、ビデオサーバなどの映像・音声信号送出機器に入力された映像・音声信号を再調整する必要がでた場合は、再度、ＶＴＲなどの映像・音声再生機器の出力映像・音声信号を映像・音声信号調整機器で調整してから、ビデオサーバなどの映像・音声信号送出機器に入力し直さなければならず、時間がかかる。
【０００７】
また、ビデオサーバなどの映像・音声信号送出機器からの出力された映像・音声信号を調整する場合もあるが、この場合、従来では、外部に映像・音声信号を送出中に、ビデオサーバなどの映像・音声信号送出機器からの出力後の映像・音声信号を調整するので、送出信号のレベルが変化してしまう。
【０００８】
本発明の課題は、映像・音声信号送出機器から出力される映像・音声信号を外部に送出するときに、調整前の映像・音声信号から調整された映像・音声信号を生成した上で、すぐに外部に送出することが可能な放送素材送出システムを提供することにある。
【課題を解決するための手段】
【０００９】
本発明は、上記課題を解決するために、映像・音声信号を収録・再生するためのビデオサーバなどの映像・音声信号送出機器と、前記映像・音声信号送出機器から出力される映像・音声信号を調整するための映像・音声信号調整機器と、前記映像・音声信号送出機器および前記映像・音声信号調整機器を制御するための制御機器とを有し、前記制御機器は、前記映像・音声信号送出機器から出力される映像・音声信号を外部からの送出制御信号に応じて送出する事前に、前記映像・音声信号送出機器から出力される映像・音声信号を所定のレベルに調整する調整値を記憶し、前記送出制御信号を受信したとき、記憶していた前記調整値を前記映像・音声信号調整機器に設定して、前記映像・音声信号送出機器から出力される映像・音声信号を前記映像・音声信号調整機器で所定のレベルに調整することを特徴とする。
【発明の効果】
【００１０】
本発明によれば、映像・音声信号送出機器から出力される映像・音声信号を外部に送出するときに、調整前の映像・音声信号から調整された映像・音声信号を生成した上で、すぐ外部に送出することが可能な放送素材送出システムを得ることができる効果を奏する。
【発明を実施するための最良の形態】
【００１１】
本発明に係る実施の形態について、以下、図を用いて説明する。
【００１２】
図１は本発明に係る放送素材送出システムの実施の形態の構成図である。図１において、１０１は、ビデオサーバなどの映像・音声信号送出機器で、番組やＣＭ（コマーシャル）などの放送素材の映像・音声信号が入力されている。１０２は、映像・音声信号調整機器で、ビデオサーバなどの映像・音声信号送出機器１０１から出力される放送素材の映像・音声信号の調整を行う。１０３は制御機器で、ビデオサーバなどの映像・音声信号送出機器１０１および映像・音声信号送出機器１０２とＲＳ４２２などの制御線で接続されている。
【００１３】
次に、周辺機器について説明する。１０４は上位システムのマスター設備で、映像・音声信号調整機器１０２および制御機器１０３とＲＳ４２２などの制御線で接続され、ビデオサーバなどの映像・音声信号送出機器１０１から出力される映像・音声信号を外部に送出するための送出制御信号を制御機器１０３に送信し、且つビデオサーバなどの映像・音声信号送出機器１０１から出力される映像・音声信号を外部に送出する。１０５は、プレビュー卓で、映像・音声信号調整機器１０２および制御機器１０３とＲＳ４２２などの制御線で接続され、映像・音声信号送出機器から出力される映像・音声信号をプレビュー画面に映出しそのレベルを所定のレベルに調整して調整値を制御機器１０３に送る。
【００１４】
次に、制御機器１０３の処理動作について図２を用いて説明する。
【００１５】
ステップ２０１にて、映像・音声信号送出機器１０１から出力される映像・音声信号を外部に送出する事前に、ビデオサーバなどの映像・音声信号送出機器１０２に入力された放送素材の映像・音声信号を、映像・音声信号調整機器１０２に出力する。このことで、映像・音声信号調整機器１０２の出力はプレビュー卓１０５に出力され、プレビュー画面に映出され、プレビュー画面をみながら手動で映像・音声信号を所定のレベルに調整する。
【００１６】
ここで、映像・音声信号がＳＤ(Standard definition)信号の場合は、映像信号と音声信号ＡＥＳ１（２ｃｈ）と音声信号ＡＥＳ２（２ｃｈ）の３つの信号を所定のレベルに調ＥＳ１（２ｃｈ）と音声信号ＡＥＳ２（２ｃｈ）と音声信号ＡＥＳ３（２ｃｈ）と音声信号ＡＥＳ４（２ｃｈ）の５つの信号を所定のレベルに調整する。
【００１７】
ステップ２０２にて、調整した調整値を受け取り記憶する。
【００１８】
ステップ２０３にて、外部の上位システムであるマスター設備１０４からの番組やＣＭの運行表にしたがった送出制御信号を受信する。
【００１９】
ステップ２０４にて、記憶していた調整値を映像・音声信号調整機器１０２に設定する。
【００２０】
ステップ２０５にて、映像・音声信号送出機器１０１から出力される映像・音声信号を映像・音声信号調整機器１０２で所定のレベルに調整する。
【００２１】
このことにより、映像・音声信号送出機器１０１から出力される映像・音声信号を外部に送出するための送出制御信号がでたときに、映像・音声信号送出機器１０１から出力された調整前の映像・音声信号を、映像・音声信号調整機器１０２で調整しながら、その調整された映像・音声信号をすぐ外部に送出することができる。
【図面の簡単な説明】
【００２２】
【図１】本発明に係る放送素材送出システムの実施の形態の構成図である。
【図２】本発明に係る放送素材送出システムの実施の形態の制御機器の処理動作を示すフロー図である。
【符号の説明】
【００２３】
１０１：映像・音声信号送出機器、１０２：映像・音声信号調整機器、１０３：制御機器、１０４：マスター設備、１０５：プレビュー卓。
【図１】
2005079745.tif 000003
【図２】
2005079745.tif 000004